(57)【特許請求の範囲】
【請求項１】
設置面に固定されるベースと該ベースに取り付けられる配線器具取付枠及びカバーとからなる配線樋用アウトレットであって、ベースを、下面が設置面に取り付けられる取付面となる下横片と該下横片の一端縁部より一体に起立する正面視略矩形状をした板状の保持面部とからなる側面視略Ｌ字状に形成し、保持面部に配線器具が配置される切欠部を形成し、大略矩形状をした板状部材からなり内部に配線器具が着脱自在に取り付けられる取付開口を穿設した配線器具取付枠の前記取付開口の長手方向両外側にねじ孔を穿設すると共に保持面部の前記ねじ孔に対応する部分に挿通孔を穿設し、前記取付開口の短手方向下側周縁に、ベースの保持面部に向けて突設する取付枠側リブを設け、ねじ部材を前記挿通孔に挿通させてねじ孔に螺着することで配線器具取付枠を保持面部に着脱自在に締結し、前記締結に伴って配線器具取付枠の保持面部の先端部側の端部が保持面部に当接するように傾くのを防止するため配線器具取付枠の保持面部の先端部側であって前記取付開口の短手方向上側周縁に当接するリブ状の傾き防止部を保持面部の先端部に長手方向に設け、カバーをベース及び配線器具が取り付けられる配線器具取付枠を覆う覆い面部で形成し、該覆い面部の一部にベースの保持面部に沿って配置される側面部を形成すると共に配線樋の接続部を設け、該側面部の上記保持面部の切欠部に対応する部分に配線器具を露出可能とする開口部を形成し、該カバーをベースに取り付けて成ることを特徴とする配線樋用アウトレット。
【請求項２】
カバーを側面部にて該側面部に沿って配置されるベースの保持面部に連結固定して成ることを特徴とする請求項１記載の配線樋用アウトレット。
【発明の詳細な説明】
【０００１】
【発明の属する技術分野】
本発明は、オフィス床面等の設置面に固定する配線樋用アウトレットに関するものである。
【０００２】
【従来の技術】
従来より、オフィスの床面等の設置面に配線樋及び配線樋用アウトレットを設置するものが良く用いられる。これは、図４に示すように、オフィスの床面等の設置面１上に電線９２を保護するための配線樋９１を配置して内部に電線９２を配設し、配線樋９１の端部に位置する設置面１上に配線樋用アウトレット５’を配置し、前記配線樋９１内の電線９２をコンセント等の配線器具６に接続してこれを配線樋用アウトレット５’に取り付けるものである。
【０００３】
配線樋用アウトレット５’は、図３に示すように、ベース２’とボディＢと化粧プレートＰとからなるものである。ベース２’は、平面視略矩形状をした平板状の部材で、下面が設置面１に固定される。そして、電線９２が接続された配線器具６をベース２’に取り付けた状態で、ボディＢをねじ８１’でベース２’に取り付けると共に、化粧プレートＰをボディＢに取り付けるものである。
【０００４】
ところで、上述した従来の配線樋用アウトレット５’は、配線器具６のベース２’への取り付けを直接かしめて行うものであるため、一度ベース２’に配線器具６を取り付けてしまうと、別の配線器具６に取り替えるが困難であった。また、設置面１に固定されたベース２’に配線器具６をかしめて取り付けるのは非常に困難なため、先に配線器具６をベース２’にかしめて取り付けてからベース２’を設置面１に固定するのであるが、この時、設置面１に固定されたベース２’に配線器具６が取り付いた状態で電線９２を配線器具６に接続しなければならず、この結線作業が困難であった。
【０００５】
【発明が解決しようとする課題】
本発明は上記の点に鑑みてなされたものであり、その目的とするところは、配線器具をベースにかしめて取り付けることによって配線器具への結線及び、配線器具の取替えが困難になってしまうことのない配線樋用アウトレットを提供することにある。
【０００６】
【課題を解決するための手段】
上記課題を解決するために本発明に係る配線樋用アウトレットは、設置面１に固定されるベース２と該ベース２に取り付けられる配線器具取付枠３及びカバー４とからなる配線樋用アウトレット５であって、ベース２を、下面が設置面１に取り付けられる取付面２１ａとなる下横片２１と該下横片２１の一端縁部より一体に起立する正面視略矩形状をした板状の保持面部２２とからなる側面視略Ｌ字状に形成し、保持面部２２に配線器具６が配置される切欠部２３を形成し、大略矩形状をした板状部材からなり内部に配線器具６が着脱自在に取り付けられる取付開口３１を穿設した配線器具取付枠３の前記取付開口３１の長手方向両外側にねじ孔７２を穿設すると共に保持面部２２の前記ねじ孔７２に対応する部分に挿通孔７３を穿設し、前記取付開口３１の短手方向下側周縁に、ベース２の保持面部２２に向けて突設する取付枠側リブ３２を設け、ねじ部材７１を前記挿通孔７３に挿通させてねじ孔７２に螺着することで配線器具取付枠３を保持面部２２に着脱自在に締結し、前記締結に伴って配線器具取付枠３の保持面部２２の先端部側の端部が保持面部２２に当接するように傾くのを防止するため配線器具取付枠３の保持面部２２の先端部側であって前記取付開口３１の短手方向上側周縁に当接するリブ状の傾き防止部２４を保持面部２２の先端部に長手方向に設け、カバー４をベース２及び配線器具６が取り付けられる配線器具取付枠３を覆う覆い面部４１で形成し、該覆い面部４１の一部にベース２の保持面部２２に沿って配置される側面部４２を形成すると共に配線樋の接続部４３を設け、該側面部４２の上記保持面部２２の切欠部２３に対応する部分に配線器具６を露出可能とする開口部４４を形成し、該カバー４をベース２に取り付けて成ることを特徴とするものである。このような構成とすることで、配線器具６がフリーの状態で電線を接続してその後で配線器具６をベース２に配線器具取付枠３に嵌め込んで取り付けることができて、設置面１に固定されたベース２に配線器具６が取り付いた状態で結線する場合のように結線作業が困難となってしまうことなく容易に結線可能となる。
【０００７】
また、カバー４を側面部４２にて該側面部４２に沿って配置されるベース２の保持面部２２に連結固定することが好ましい。このような構成とすることで、連結固定するベース２の保持面部２２とカバー４の側面部４２とを沿わせてこの間の距離をなくすか若しくは極めて短くすることができるので、連結固定の作業が容易となるものである。
【０００９】
【発明の実施の形態】
以下、本発明の一実施形態について添付図面に基づいて説明する。
【００１０】
オフィスの床面等の設置面１には、パソコンやプリンタ、電話等の電線を配設して保護するための配線樋が設置してあり、配線樋の内部に電線を配設する。そして、配線樋の端部には、コンセント等の配線器具６が取り付けられる配線樋用アウトレット５を配置して、これに配線器具６を取り付ける。
【００１１】
配線樋用アウトレット５は、図１に示すように、ベース２と、配線器具取付枠３と、カバー４とからなる。
【００１２】
ベース２は、本実施形態では下横片２１と側縦片（後述する保持面部２２）とからなる側面視略Ｌ字状をしたものである。下横片２１は平面視略矩形状をした板状のもので、下面が設置面１に取り付けられる取付面２１ａとしてある。また、下横片２１の一側端縁からは、保持面部２２となる側縦片が上方に向けて一体に突設してある。保持面部２２は、正面視略矩形状をした板状のもので、配線器具取付枠３が取り付けられると共に、この配線器具取付枠３に取り付けられた配線器具６を配置して外部に露出させるための切欠部２３が穿設される。
【００１３】
配線器具取付枠３は、大略矩形状をした板状部材の内部に取付開口３１を穿設した枠状のもので、配線器具６を前記取付開口３１に嵌め込んで着脱自在に取り付ける。配線器具取付枠３の取付開口３１の長手方向外側には、ねじ部材７１が螺着されるねじ孔７２が穿設してあると共に、保持面部２２の前記ねじ孔７２に対応する部分には挿通孔７３が穿孔してある。また、配線器具取付枠３の取付開口３１の短手方向下側周縁には、ベース２の保持面部２２に向けて突設する取付枠側リブ３２が設けてある。配線器具取付枠３を保持面部２２に取り付けるには、保持面部２２の挿通孔７３と配線器具取付枠３のねじ孔７２とを連通させ、ねじ部材７１を挿通孔７３の外側より挿通して、ねじ孔７２に螺着することで行う。なお、配線器具取付枠３のねじ孔７２を挿通孔７３とすると共に、ねじ部材７１をナット部材に螺合してもよい。
【００１４】
そして、ベース２及び該ベース２に取り付けられた配線器具取付枠３を覆うカバー４をベース２に取り付けるものである。
【００１５】
カバー４は、下方に開口する大略箱状をした覆い面部４１からなり、覆い面部４１の下方の開口縁をベース２の下横片２１の周縁部に合わせた状態で取り付けるもので、この時、覆い面部４１の一部をベース２の保持面部２２に重ね合わさるように沿う側面部４２として形成してある。カバー４の側面部４２には、ベース２の保持面部２２の切欠部２３に対応する部分に開口部４４を穿孔して、配線器具６が外部に露出可能としてある。また、カバー４の側面部４２の前記開口部４４の両側には、固着具挿通孔８３が穿孔してあると共に、ベース２の保持面部２２の前記固着具挿通孔８３に対応する部分には固着孔８２が穿設してあり、固着具挿通孔８３と固着孔８２とを連通させてビス等の固着具８１を固着具挿通孔８３の外側より挿通し、固着孔８２に螺着してカバー４をベース２に取り付けるものである。このように、ベース２の保持面部２２と、この保持面部２２に重ね合わさるように沿うカバー４の側面部４２とを固着具８１にて連結固定するので、上述したように固着具挿通孔８３と固着孔８２とを連通させ易く、連結作業が容易となる。
【００１６】
また、カバー４の覆い面部４１には、配線樋の接続部４３を設けてある。これは、大略箱状をしたカバー４の側面部４２以外の覆い面部４１の下端部に、配線樋と同様の形状をした切欠を形成したものである。なお、本実施形態においては、大略箱状をした覆い面部４１の側面部４２以外の三つの側面の下端部に、覆い面部４１を切欠形状に除去可能な除去部を形成してあり、接続部４３を形成したい部分の除去部を除去して接続部４３の切欠を形成しするものである。
【００１７】
上記のような配線樋用アウトレット５の設置について説明する。
【００１８】
まず、ベース２に配線器具取付枠３を上述したようにねじ部材７１で取り付け、ベース２を配線樋の端部の設置面１に固定するのであるが、この固定は通常はねじ止めによって行われる。そして、配線樋の内部の電線を配線器具６に接続し、この配線器具６を配線器具取付枠３の取付開口３１に嵌め込んで取り付ける。そして最後に、カバー４を上述したように固着具８１でベース２に取り付けるものである。
【００１９】
以上のような構成によれば、設置面１に固定されるベース２に配線器具取付枠３を取り付け、この配線器具取付枠３に配線器具６を嵌め込んで取り付けるようにしたことで、配線器具６がフリーの状態で電線を接続してその後で配線器具６をベース２に配線器具取付枠３を介して取り付けることができて、結線作業が容易となるものである。また、配線器具６を配線器具取付枠３に対して着脱自在に嵌め込んで取り付けるので、容易に配線器具６を着脱できて配線器具６の取替えが容易となる。また、配線器具取付枠３もベース２に対してねじ部材７１にて着脱自在に取り付けてあるため、配線器具取付枠３ごと配線器具６を取り替えることも可能である。
【００２０】
また、本実施形態では、配線器具取付枠３をねじ部材７１にてベース２の保持面部２２に締結するのであるが、この際、前記締結に伴って配線器具取付枠３の保持面部２２の先端部側の端部が保持面部２２に接近するように傾く力が加わるため、配線器具取付枠３の保持面部２２の先端部側であって取付開口３１の短手方向上側周縁に当接して、配線器具取付枠３が傾くのを防止するリブ状の傾き防止部２４を保持面部２２の先端部に長手方向に突設してある。これによって、締結時に配線器具取付枠３が傾くのを防止することができる。
【００２１】
【発明の効果】
上記のように本発明の請求項１記載の発明にあっては、設置面に固定されるベースと該ベースに取り付けられる配線器具取付枠及びカバーとからなる配線樋用アウトレットであって、ベースを、下面が設置面に取り付けられる取付面となる下横片と該下横片の一端縁部より一体に起立する正面視略矩形状をした板状の保持面部とからなる側面視略Ｌ字状に形成し、保持面部に配線器具が配置される切欠部を形成し、大略矩形状をした板状部材からなり内部に配線器具が着脱自在に取り付けられる取付開口を穿設した配線器具取付枠の前記取付開口の長手方向両外側にねじ孔を穿設すると共に保持面部の前記ねじ孔に対応する部分に挿通孔を穿設し、前記取付開口の短手方向下側周縁に、ベースの保持面部に向けて突設する取付枠側リブを設け、ねじ部材を前記挿通孔に挿通させてねじ孔に螺着することで配線器具取付枠を保持面部に着脱自在に締結し、前記締結に伴って配線器具取付枠の保持面部の先端部側の端部が保持面部に当接するように傾くのを防止するため配線器具取付枠の保持面部の先端部側であって前記取付開口の短手方向上側周縁に当接するリブ状の傾き防止部を保持面部の先端部に長手方向に設け、カバーをベース及び配線器具が取り付けられる配線器具取付枠を覆う覆い面部で形成し、該覆い面部の一部にベースの保持面部に沿って配置される側面部を形成すると共に配線樋の接続部を設け、該側面部の上記保持面部の切欠部に対応する部分に配線器具を露出可能とする開口部を形成し、該カバーをベースに取り付けたので、配線器具がフリーの状態で電線を接続してその後で配線器具をベースに配線器具取付枠に嵌め込んで取り付けることができて、設置面に固定されたベースに配線器具が取り付いた状態で結線する場合のように結線作業が困難となってしまうことなく容易に結線可能となる。
【００２３】
また請求項２記載の発明にあっては、上記請求項１記載の発明の効果に加えて、カバーを側面部にて該側面部に沿って配置されるベースの保持面部に連結固定したので、連結固定するベースの保持面部とカバーの側面部とを沿わせてこの間の距離をなくすか若しくは極めて短くすることができるので、連結固定の作業が容易となるものである。
【図面の簡単な説明】
【図１】本発明の一実施形態の分解斜視図である。
【図２】同上の実施形態を示し、（ａ）は組み立てた状態の斜視図であり、（ｂ）はカバーを取り外した状態の斜視図である。
【図３】従来例の分解斜視図である。
【図４】オフィス等の設置面に配線樋及び配線樋用アウトレットを設置した状態を示す説明図である。
【符号の説明】
１  設置面
２  ベース
２１ａ  取付面
２２  保持面部
２３  切欠部
３  配線器具取付枠
４  カバー
４１  覆い面部
４２  側面部
４３  接続部
４４  開口部
５  配線樋用アウトレット
６  配線器具
【図１】
0004061924.tif 000002
【図２】
0004061924.tif 000003
【図３】
0004061924.tif 000004
【図４】
0004061924.tif 000005